【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
少なくとも1つの受信機の少なくとも1つの受信アンテナにエネルギーをワイヤレスで伝達する装置であって、前記装置は、
前記少なくとも1つの受信機が第1のワイヤレス場を生成するための手段のエネルギー伝達領域内にあるとき、第1のワイヤレス場を生成するための手段と、
前記少なくとも1つの受信機が第2のワイヤレス場を生成するための手段のエネルギー伝達領域内にあるとき、第2のワイヤレス場を生成するための手段と、
前記少なくとも1つの受信機が前記第1のワイヤレス場と前記第2のワイヤレス場との1つまたは両方のエネルギー伝達領域内にあるとき、前記第1のワイヤレス場を生成するための手段または前記第2のワイヤレス場を生成するための手段の少なくとも1つを作動させるための手段と、
前記第1のワイヤレス場を生成するための手段および前記第2のワイヤレス場を生成するための手段の両方が作動されるとき、前記装置の動作のモードを制御するための手段であって、前記制御するための手段はさらに、
前記装置と前記少なくとも1つの受信アンテナとの間の第1の結合レベル、前記第1のワイヤレス場を生成するための手段と前記第2のワイヤレス場を生成するための手段との間の第2の結合レベル、または前記装置と前記少なくとも1つの受信アンテナとの間のエネルギー伝達の漏洩レベルのうちの少なくとも1つを測定するための手段を備え、
前記制御するための手段が、前記測定に基づいて前記装置の前記動作のモードを選択するように構成される、手段と
を備え、
前記動作のモードは、
前記第1のワイヤレス場を生成するための手段および前記第2のワイヤレス場を生成するための手段が、前記第1および第2のワイヤレス場を介して別個に同時に同じ受信機にエネルギーをワイヤレスで伝達すること、
前記第1のワイヤレス場を生成するための手段および前記第2のワイヤレス場を生成するための手段が、前記第1および第2のワイヤレス場を介して共同で前記同じ受信機にエネルギーをワイヤレスで伝達すること、および
前記第1のワイヤレス場を生成するための手段および前記第2のワイヤレス場を生成するための手段が、前記第1および第2のワイヤレス場を介して異なる受信機にエネルギーをワイヤレスで伝達すること
から選択される、装置。
【請求項２】
前記第1のワイヤレス場を生成するための手段が、前記少なくとも1つの受信機が第1の送信アンテナのエネルギー伝達領域内にあるとき、第1のワイヤレス場を生成するように構成された第1の送信アンテナを備え、
前記第2のワイヤレス場を生成するための手段が、前記第1の送信アンテナから空間的に離間した第2の送信アンテナを備え、前記第2の送信アンテナが、前記少なくとも1つの受信機が前記第2の送信アンテナのエネルギー伝達領域内にあるとき、第2のワイヤレス場を生成するように構成され、
前記作動させるための手段および前記制御するための手段が、前記第1の送信アンテナおよび前記第2の送信アンテナに動作可能に結合されるコントローラを備える、請求項1に記載の装置。
【請求項３】
前記コントローラは、前記第1の送信アンテナまたは前記第2の送信アンテナのうちの少なくとも1つを介して、前記第1のワイヤレス場の第1のフラックス位相もしくは第1のフラックス強度、または前記第2のワイヤレス場の第2のフラックス位相もしくは第2のフラックス強度のうちの少なくとも1つを調整するようにさらに構成される、請求項2に記載の装置。
【請求項４】
前記コントローラは、前記第1のフラックス位相が前記第2のフラックス位相と実質的に反対で、かつ前記第1のワイヤレス場および前記第2のワイヤレス場のフラックス線が連続的であり閉ループで存在するように、前記第1の送信アンテナまたは前記第2の送信アンテナのうちの前記少なくとも1つを介して、前記第1のワイヤレス場の前記第1のフラックス位相、または前記第2のワイヤレス場の前記第2のフラックス位相のうちの前記少なくとも1つを調整するようにさらに構成される、請求項3に記載の装置。
【請求項５】
前記コントローラに動作可能に結合され、前記装置と前記少なくとも1つの受信機との間の通信リンクを確立するように構成された通信モジュールをさらに含む装置であって、前記コントローラは、
前記通信リンクを介して前記少なくとも1つの受信機から少なくとも1つの充電要件を受け取り、
前記少なくとも1つの受信機から受け取った前記少なくとも1つの充電要件に少なくとも部分的に基づいて前記第1の送信アンテナまたは前記第2の送信アンテナのうちの少なくとも1つの位相を設定する
ようにさらに構成される、請求項2に記載の装置。
【請求項６】
前記通信モジュールは、前記装置と別の受信機との間の別の通信リンクを確立するようにさらに構成され、前記コントローラは、
前記別の通信リンクを介して前記別の受信機から少なくとも別の充電要件を受け取り、
前記第1のワイヤレス場を介して前記少なくとも1つの受信機にエネルギーを伝達するために前記第1の送信アンテナを作動させ、
前記第2のワイヤレス場を介して前記別の受信機にエネルギーを伝達するために前記第2の送信アンテナを作動させる
ようにさらに構成される、請求項5に記載の装置。
【請求項７】
送信機から少なくとも1つの受信機の少なくとも1つの受信アンテナにエネルギーをワイヤレスで伝達する方法であって、
前記少なくとも1つの受信機が前記送信機の第1の送信アンテナのエネルギー伝達領域内にあるとき、前記第1の送信アンテナによって第1のワイヤレス場を生成するステップと、
前記少なくとも1つの受信機が前記送信機の第2の送信アンテナのエネルギー伝達領域内にあるとき、前記第1の送信アンテナから空間的に離間した前記第2の送信アンテナによって第2のワイヤレス場を生成するステップと、
前記少なくとも1つの受信機が前記第1のワイヤレス場と前記第2のワイヤレス場との1つまたは両方のエネルギー伝達領域内にあるかどうかに基づいて、前記第1の送信アンテナまたは前記第2の送信アンテナのうちの少なくとも1つを作動させるステップと、
前記第1の送信アンテナおよび前記第2の送信アンテナの両方が作動されるとき、前記送信機の動作のモードを制御するステップであって、前記制御するステップがさらに、
前記送信機と前記少なくとも1つの受信アンテナの間の第1の結合レベル、前記第1の送信アンテナと前記第2の送信アンテナの間の第2の結合レベル、または前記送信機と前記少なくとも1つの受信アンテナの間のエネルギー伝達の漏洩レベルのうちの少なくとも1つを測定するステップと、
前記測定に基づいて前記送信機の前記動作のモードを選択するステップとを含む、ステップと
を含み、
前記動作のモードは、
前記第1の送信アンテナおよび前記第2の送信アンテナが、前記第1および第2のワイヤレス場を介して別個に同時に同じ受信機にエネルギーをワイヤレスで伝達すること、
前記第1の送信アンテナおよび前記第2の送信アンテナが、前記第1および第2のワイヤレス場を介して共同で前記同じ受信機にエネルギーをワイヤレスで伝達すること、および
前記第1の送信アンテナおよび前記第2の送信アンテナが、前記第1および第2のワイヤレス場を介して異なる受信機にエネルギーをワイヤレスで伝達すること
から選択される、方法。
【請求項８】
前記第1の送信アンテナまたは前記第2の送信アンテナのうちの少なくとも1つを介して、前記第1のワイヤレス場の第1のフラックス位相もしくは第1のフラックス強度、または前記第2のワイヤレス場の第2のフラックス位相もしくは第2のフラックス強度のうちの少なくとも1つを調整するステップをさらに含む、請求項7に記載の方法。
【請求項９】
前記第1のワイヤレス場の第1のフラックス位相もしくは第1のフラックス強度のうちの少なくとも1つを調整するステップは、前記第1のフラックス位相が前記第2のフラックス位相と実質的に反対で、かつ前記第1のワイヤレス場および前記第2のワイヤレス場のフラックス線が連続的であり閉ループで存在するように、前記第1の送信アンテナまたは前記第2の送信アンテナのうちの前記少なくとも1つを介して、前記第1のワイヤレス場の前記第1のフラックス位相、または前記第2のワイヤレス場の前記第2のフラックス位相のうちの前記少なくとも1つを調整するステップを含む、請求項8に記載の方法。
【請求項１０】
前記第1の送信アンテナまたは前記第2の送信アンテナと、前記少なくとも1つの受信機との間の通信リンクを確立するステップと、
前記通信リンクを介して前記少なくとも1つの受信機から少なくとも1つの充電要件を受け取るステップと、
前記少なくとも1つの受信機から受け取った前記少なくとも1つの充電要件に少なくとも部分的に基づいて前記第1の送信アンテナまたは前記第2の送信アンテナのうちの少なくとも1つの位相を設定するステップと
をさらに含む、請求項7に記載の方法。
【請求項１１】
前記第1の送信アンテナまたは前記第2の送信アンテナと、別の受信機との間の別の通信リンクを確立するステップと、
前記別の通信リンクを介して前記別の受信機から少なくとも別の充電要件を受け取るステップと、
前記第1のワイヤレス場を介して前記少なくとも1つの受信機にエネルギーを伝達するために前記第1の送信アンテナを作動させるステップと、
前記第2のワイヤレス場を介して前記別の受信機にエネルギーを伝達するために前記第2の送信アンテナを作動させるステップと
をさらに含む、請求項10に記載の方法。
【請求項１２】
実行される際に、装置に、請求項７乃至１１のいずれか一項に記載の方法を実行させるコードを含む、非一時的コンピュータ可読記憶媒体。